(57)【要約】【課題】ＵＳＢ形態のビデオ／オーディオ信号をＨＤＭＩフォーマットに変換して出力できる、ＵＳＢからＨＤＭＩへの伝送変換装置を提供する。【解決手段】本体１０には、ＵＳＢインタフェース１３、ＵＳＢコレクタ回路１４、ＵＳＢから１２／２４ビットＲＧＢフォーマット出力ヘの変換回路１５、ＵＳＢ音響信号変換回路１６、ＨＤＭＩ変換回路１７、及びＭＣＵ１８が含まれ、ＵＳＢ接続ポート１１をコンピュータ・メインフレームのＵＳＢインタフェース・ポートに接続して、コンピュータ・メインフレームからＵＳＢパッケージ形態のビデオ／オーディオ信号を送出し、ＵＳＢコレクタ回路、ＵＳＢから１２／２４ビット（ｂｉｔ）ＲＧＢフォーマット出力への変換回路、ＵＳＢ音響信号変換回路、ＨＤＭＩ変換回路を経由して、ＨＤＭＩのフォーマットに変換した後、ＨＤＭＩ出力ポート１２から出力する。【選択図】図１
0003147725.tif 000002
【実用新案登録請求の範囲】
【請求項１】
ＵＳＢタイプのビデオ／オーディオ信号をＨＤＭＩフォーマットに伝送変換する装置であって、本体と、前記本体の一端に設けられ、コンピュータ・メインフレームのＵＳＢインタフェース・ポートと接続されるＵＳＢ接続ポートと、前記本体の他端に設けられるＨＤＭＩ出力ポートと、を有し、
前記本体は、ＵＳＢインタフェース、ＵＳＢコレクタ回路、ＵＳＢから１２／２４ビットＲＧＢヘのフォーマット変換回路、ＵＳＢ音響信号変換回路、ＨＤＭＩ変換回路、及びマイクロ・コンピュータ・ユニットを有し、
前記ＵＳＢインタフェースは、前記ＵＳＢ接続ポートと接続する一方で、前記ＵＳＢコレクタ回路と接続し、前記ＵＳＢコレクタ回路は、前記ＵＳＢから１２／２４ビットＲＧＢヘのフォーマット変換回路と前記ＵＳＢ音響信号変換回路とに接続し、前記ＵＳＢから１２／２４ビットＲＧＢヘのフォーマット変換回路及び前記ＵＳＢ音響信号変換回路は、更に前記ＨＤＭＩ変換回路と接続し、前記マイクロ・コンピュータ・ユニットは、Ｉ２Ｃインタフェースを介して、前記ＨＤＭＩ変換回路と接続し、前記ＨＤＭＩ変換回路は、ＨＤＭＩ出力ポートと接続し、このようにして、前記ＨＤＭＩ変換回路は、変換されたＨＤＭＩフォーマットのビデオ／オーディオ信号を前記ＨＤＭＩ出力ポートから出力できるようになり、
使用に当っては、前記ＵＳＢ接続ポートを前記コンピュータ・メインフレームの前記ＵＳＢインタフェース・ポートに接続して、前記コンピュータ・メインフレームからＵＳＢパッケージ・タイプのビデオ／オーディオ信号を送出し、その後、前記ビデオ／オーディオ信号は、前記ＵＳＢコレクタ回路により、映像信号と音響信号とに分けられ、前記映像信号は、前記ＵＳＢから１２／２４ビットＲＧＢヘのフォーマット変換回路により、１２／２４ビットのＲＧＢフォーマットに変換され、更に１２／２４ビットバスバーを通じて前記ＨＤＭＩ変換回路に伝送され、前記音響信号は、前記ＵＳＢ音響信号変換回路により、Ｓ／ＰＤＩＦまたはＩ２Ｓ音響信号のフォーマットに変換され、更に前記ＨＤＭＩ変換回路に伝送され、前記マイクロ・コンピュータ・ユニットは、前記Ｉ２Ｃインタフェースを介して前記ＨＤＭＩ変換回路を制御し、１２／２４ビットフォーマットの映像信号と、Ｓ／ＰＤＩＦまたはＩ２Ｓ音響信号のフォーマットの音響信号とを併合し、ＨＤＭＩフォーマットに変換した後、前記ＨＤＭＩ出力ポートから出力する、ＵＳＢからＨＤＭＩへの伝送変換装置。
【請求項２】
前記ＵＳＢからＨＤＭＩへの伝送変換装置の本体は、プラスチック材質である、請求項１に記載のＵＳＢからＨＤＭＩへの伝送変換装置。
【考案の詳細な説明】
【技術分野】
【０００１】
本考案は、ＵＳＢからＨＤＭＩへの伝送変換装置に関するものであり、詳しく言えば、ＵＳＢ接続ポートに接続したコンピュータから、ＵＳＢ形態のビデオ／オーディオ信号をＨＤＭＩのフォーマットに変換して出力する伝送変換装置に関するものである。
【背景技術】
【０００２】
一般に通用しているＵＳＢ（ｕｎｉｖｅｒｓａｌ  Ｓｅｒｉａｌ  Ｂｕｓ）からＶＧＡ（Ｖｉｄｅｏ  Ｇｒａｐｈｉｃｓ  Ａｒｒａｙ）への変換装置としては、例えば、下記特許文献１に示すような変換装置が知られている。この変換装置は、図３に示すように構成されている。具体的には、従来のＵＳＢからＶＧＡへの変換装置は、本体１００を有し、本体１００内部に、ＵＳＢポート１３０と、ＵＳＢからＶＧＡへのインタフェース変換装置１２０とを含むＵＳＢデータ処理回路１１０を有している。ＵＳＢポート１３０は、コンピュータ・メインフレーム２００のＵＳＢインタフェース・ポート２１０に接続され、実行命令及びデータをコンピュータ・メインフレーム２００に伝送してこれを実行させ、あるいは、コンピュータ・メインフレーム２００からのＵＳＢパッケージ・タイプに分配された情報や画面に表示された情報を受信し、また、このＵＳＢパッケージ・タイプの画面情報をＵＳＢからＶＧＡヘのインタフェース変換装置１２０を介してＶＧＡ画面表示信号として出力する。また、ＵＳＢデータ処理回路１１０に連結されたキーボード２２０で、制御命令及びデータをＵＳＢデータ処理回路１１０に出力する。また、キーボード２２０と一体に結合した表示板３００を、ＵＳＢデータ処理回路１１０のＵＳＢからＶＧＡへのインタフェース変換装置１２０に接続して、変換出力されたＶＧＡ画面信号を受信して、画面を表示する。
【０００３】
このような従来のＵＳＢからＶＧＡへの変換装置は、コンピュータなどのＵＳＢパッケージ・タイプの画面表示情報を、ＶＧＡの画面表示信号として変換出力できるが、その出力であるＶＧＡ画面表示信号は映像信号だけであり、対応する音響（音声）を聴くことができない。映像（画像）のみでは、視聴者は、実際の放送内容を完全に把握できず不便である。
【特許文献１】台湾特許公告第２４０６２７号明細書
【考案の開示】
【考案が解決しようとする課題】
【０００４】
以上の事情に鑑み、このような欠点を改善せんがため、本願の考案者は、長年当業に従事してきた経験に基づき、長期の苦心研鑽の結果、遂に本願開発の成功を見るに至った。
【０００５】
本考案の目的は、ＵＳＢ接続ポートにコンピュータ・メインフレームを接続して、コンピュータＵＳＢ形態のビデオ／オーディオ信号をＨＤＭＩフォーマットに変換して出力できる、ＵＳＢからＨＤＭＩヘの伝送変換装置を提供する点にある。
【課題を解決するための手段】
【０００６】
上記の課題を解決できる手段として、本考案のＵＳＢからＨＤＭＩへの伝送変換装置は、１つの本体と、本体の一端に設けられ、コンピュータ・メインフレームとＵＳＢインタフェース・ポートを介して接続されるＵＳＢ接続ポートと、本体の他端に設けるＨＤＭＩ（Ｈｉｇｈ  Ｄｅｆｉｎｉｔｉｏｎ  Ｍｕｌｔｉ−ｍｅｄｉａ  Ｉｎｔｅｒｆａｃｅ）出力ポートと、を含む。本体の中には、ＵＳＢインタフェース、ＵＳＢコレクタ回路、ＵＳＢから１２／２４ビット（ｂｉｔ）ＲＧＢフォーマット出力への変換回路、ＵＳＢからＩ２ＳまたはＳ／ＰＤＩＦ音響信号への変換回路、ＨＤＭＩ変換回路、及びマイクロ・コンピュータ・ユニット（ＭＣＵ）を有する。ここで、ＨＤＭＩ変換回路は、ＲＧＢフォーマット信号をＨＤＭＩ  ＴＭＤＳ信号に変換する。ＭＣＵは、ＨＤＭＩ変換回路内の使用者制御レジスタ（ｒｅｇｉｓｔｅｒｓ）数値を制御し、テレビジョン（ディスプレイ）のＥＤＩＤ（Ｅｘｔｅｎｄｅｄ  Ｄｉｓｐｌａｙ  Ｉｄｅｎｔｉｆｉｃａｔｉｏｎ  Ｄａｔａ、テレビジョンに表示される解像度情報）を読み取り、これをコンピュータの制御ソフトウェアに返送して、その出力の解像度を決定する。
【０００７】
その中で、ＵＳＢインタフェースは、ＵＳＢ接続ポートに接続する一方で、ＵＳＢコレクタ回路にも接続している。後者は、同時に、ＵＳＢから１２／２４ビット（ｂｉｔ）ＲＧＢフォーマット出力への変換回路及びＵＳＢ音響信号変換回路と接続している。後の２つの回路は、更にＨＤＭＩ変換回路と接続し、ＭＣＵは、Ｉ２Ｃインタフェースを介してＨＤＭＩ変換回路に接続し、後者は、更にＨＤＭＩ出力ポートに接続している。Ｉ２Ｃインタフェースは、内部にはＳＤＡとＳＣＬの２本の信号伝送線を含み、Ｉ２Ｃ伝送インタフェースを介してＩＣとＩＣとの間の連絡が実現される。
【０００８】
ＨＤＭＩの出力特性として、ピクセルのビテオ周波数は、２５ＭＨｚ〜３４０ＭＨｚ（Ｔｙｐｅ  Ａ、ＨＤＭＩ  １．３）または６８０ＭＨｚ（Ｔｙｐｅ  Ｂ）であり、２５ＭＨｚより低いビデオ周波数、例えば、ＮＴＳＣ  ４８０ｉは、倍増して出力する。また、各ピクセルの許容情報量は、２４〜４８ビットである。毎秒１２０コマ１０８０ｐ解像度の画面を支援するようにデータが伝送され、また、ＷＱＳＸＧＡ解像度［１］において、ピクセルコード方式：ＲＧＢ  ４：４：４、ＹＣｂＣｒ  ４：４：４（８−１６ビット／ｃｏｍｐｏｎｅｎｔ）、ＹＣｂＣｒ  ４：２：２（１２ビット／ｃｏｍｐｏｎｅｎｔ）である。音響周波数サンプル率（サンプリング周波数）は、３２ｋＨｚ、４４．１ｋＨｚ、４８ｋＨｚ、８８．２ｋＨｚ、９６ｋＨｚ、１７６．４ｋＨｚ、１９２ｋＨｚである。その最大の特性は、音響及び映像が、ただ１本のＨＤＭＩケーブルで同時に出力でき、テレビジョンのスクリーンに音響及び映像を一緒に出力することである。
【０００９】
使用に当り、ＵＳＢ接続ポートをコンピュータ・メインフレームのＵＳＢインタフェースに接続し、コンピュータからＵＳＢパッケージ・タイプの映音信号（コンピュータ内部のソフトウェアで映像をＵＳＢ信号に変換）を送出し、順を追って、ＵＳＢコレクタ回路、ＵＳＢから１２／２４ビット（ｂｉｔ）ＲＧＢフォーマット出力への変換回路及びＵＳＢ音響信号変換回路、ＨＤＭＩ変換回路を経て、ＨＤＭＩフォーマットに変換し、その後、ＨＤＭＩ出力ポートから出力する。このようにして、ＨＤＭＩ出力ポートにＨＤＭＩのテレビジョンを接続すれば、ＨＤＭＩフォーマットの音響と映像を同時放送でき、視聴者は直ちに放送内容を理解でき、マルチメディアと高度画質の映音効果できるものである。
【００１０】
本考案の更に詳細な特徴、優点や応用に関しては、明細書に添付した図面を参考にして、以下説明する実施形態の内容をご覧になっていただきたい。
【考案の効果】
【００１１】
本考案に係る、ＵＳＢからＨＤＭＩへの伝送変換装置は、そのＨＤＭＩ出力ポートに接続したＨＤＭＩのテレビジョンによって、ＨＤＭＩフォーマットの音響と映像とを同時に受信可能となり、視聴者はこのマルチメディアの良質な映像と音響により、容易にその放送内容を理解できるようになり、従来の類似装置の追従できない利点を発揮できるものである。
【考案を実施するための最良の形態】
【００１２】
図１及び図２を参照すれば、本考案に係るＵＳＢからＨＤＭＩへの伝送変換装置は、１つの本体１０を有する。本体１０の一端には、ＵＳＢ接続ポート１１が設けてあって、コンピュータ・メインフレーム２０のＵＳＢインタフェース・ポート２１の接続に供する。本体１０の他端には、ＨＤＭＩ出力ポート１２が設けてある。
【００１３】
本体１０の中には、更に、ＵＳＢインタフェース１３、ＵＳＢコレクタ回路１４、ＵＳＢから１２／２４−ｂｉｔＲＧＢへの変換とフォーマット出力回路１５、ＵＳＢ音響信号変換回路１６、ＨＤＭＩ変換回路１７、及びＭＣＵ１８が含まれる。
【００１４】
ここで、ＵＳＢ音響信号変換回路１６は、ＵＳＢ信号フォーマットをＳ／ＰＤＩＦまたはＩ２Ｓに変換するデイジタル・インタフェースである。Ｓ／ＰＤＩＦの名称は、Ｓｏｎｙ／Ｐｈｉｌｉｐｓ  Ｄｉｇｉｔａｌ  Ｉｎｔｅｒｆａｃｅ  Ｆｏｒｍａｔであり、Ｉ２Ｓの名称は、Ｉｎｔｅｒ−ＩＣ  ＳｏｕｎｄまたはＩｎｔｅｇｒａｔｅｄ  Ｉｎｔｅｒｃｈｉｐ  Ｓｏｕｎｄである。これは、ＩＣ間の伝送デイジタル音響信号情報に係る１つのインタフェース規格（標準）であり、シーケンス（ｓｅｑｕｅｎｃｅ）方式に従って、２組（左右の音声帯）の情報を伝送する。
【００１５】
ＵＳＢインタフェース１３は、ＵＳＢ接続ポート１１に接続している。また、ＵＳＢインタフェース１３は、ＵＳＢコレクタ回路１４に接続している。ＵＳＢコレクタ回路１４は、ＵＳＢから１２／２４−ｂｉｔＲＧＢへの変換とフォーマット出力回路１５と、ＵＳＢ音響信号変換回路１６とに接続している。
【００１６】
ＵＳＢから１２／２４−ｂｉｔＲＧＢへの変換とフォーマット出力回路１５及びＵＳＢ音響信号変換回路１６は、更に、ＨＤＭＩ変換回路１７に接続している。ＭＣＵ１８は、Ｉ２Ｃインタフェース１８１により、ＨＤＭＩ変換回路１７と接続し、ＨＤＭＩ変換回路１７は、ＨＤＭＩ出力ポート１２と接続している。ＨＤＭＩ変換回路１７により変換されたＨＤＭＩ  ＴＭＤＳ信号フォーマットビデオ／オーディオ信号は、ＨＤＭＩ出力ポート１２から出力される。
【００１７】
使用に際しては、ＵＳＢ接続ポート１１をコンピュータ・メインフレーム２０のＵＳＢインタフェース・ポート２１に接続して、コンピュータ・メインフレーム２０からＵＳＢバッケージ・タイプのビデオ／オーディオ信号を送り出し、その後、ビデオ／オーディオ信号は、ＵＳＢコレクタ回路１４により、映像信号と音響信号とに分けられる。
【００１８】
そのうちの映像信号は、ＵＳＢから１２／２４−ｂｉｔＲＧＢへの変換とフォーマット出力回路１５により、１２／２４ｂｉｔのフォーマットに変換され、更に、１２／２４ビットのバスバー（ｂｕｓ  ｂａｒ）を介して、ＨＤＭＩ変換回路１７に伝送される。一方、音響信号は、ＵＳＢ音響信号変換回路１６により、Ｓ／ＰＤＩＦまたはＩ２Ｓのフォーマットに変換され、更にＨＤＭＩ変換回路１７に伝送される。ＭＣＵ１８は、Ｉ２Ｃインタフェース１８１を介してＨＤＭＩ変換回路を制御し、１２／２４ビットフォーマットの映像信号と、Ｓ／ＰＤＩＦのフォーマットの音響信号とを併合し、ＨＤＭＩフォーマットに変換した後、ＨＤＭＩ出力ポート１２から出力するのである。
【００１９】
ＨＤＭＩ出力ポート１２にＨＤＭＩのテレビジョン３０を接続すれば、そのテレビ３０からＨＤＭＩフォーマットの音響と映像を同時に受信可能となり、視聴者はこのマルチメディアの良質な映像と音響により、容易にその放送内容を理解できるようになる。
【００２０】
また、この変換装置の本体１０は、プラスチック材質を採用してもよく、そうすれば重量が軽減し、製造コストも安くなる。
【００２１】
本考案は、その形態において確かに創意性があるのみならず、従来の類似品に比べて、上述の優位な機能が追加でき、新規性および進歩性の法定実用新案登録請求の要件に十分合致するものと考えられる。
【００２２】
以上、詳細な説明は、本考案の実行可能な実施形態に付いての具体的説明である。但し、これらの実施形態は、本考案の実用新案登録請求の範囲を制限するものではなく、凡そ本考案の技術精神を逸脱せずなされた同等効果の実施または変更は、全て本考案の実用新案登録請求の範囲内に含まれるものとする。
【図面の簡単な説明】
【００２３】
【図１】本考案に係るＵＳＢからＨＤＭＩへの伝送変換装置のブロック図である。
【図２】本考案に係るＵＳＢからＨＤＭＩへの伝送変換装置の操作説明図である。
【図３】一般に通用しているＵＳＢからＶＧＡへの伝送変換装置のブロック図である。
【符号の説明】
【００２４】
１０  装置本体、
１１  ＵＳＢ接続ポート、
２０  コンピュータ・メインフレーム、
２１  ＵＳＢインタフェース・ポート、
１２  ＨＤＭＩ出力ポート、
１３  ＵＳＢインタフェース、
１４  ＵＳＢコレクタ回路、
１５  ＵＳＢから１２／２４−ビットＲＧＢへの変換とフォーマット出力回路、
１６  ＵＳＢ音響信号変換回路、
１７  ＨＤＭＩ変換回路、
１８  マイクロ・コンピュータ・ユニット、
１８１  Ｉ２Ｃインタフェース、
３０  テレビジョン。
【図１】
0003147725.tif 000003
【図２】
0003147725.tif 000004
【図３】
0003147725.tif 000005